(57)【要約】【課題】部品点数を増大することなく、基板接続部の孔部に対する挿入位置を容易に規制することができる基板用接続端子を提供する。【解決手段】導電性材料からなる本体部３と、本体部３の長さ方向の一端側に設けられ相手端子と接続可能な端子接続部と、本体部３の長さ方向の他端側に設けられ基板７の孔部９に挿入されて基板７に接続可能な基板接続部１１とを備えた基板用接続端子１において、本体部３の幅方向の一側に、基板接続部１１が孔部９に挿入される前の状態で隣り合う本体部３，３を連結し基板接続部１１が孔部９に挿入された状態で孔部９の縁部と当接し基板接続部１１の孔部９に対する挿入位置を規制する挿入規制部１３を設けた。【選択図】図３
2019096454.tif 000002
【特許請求の範囲】
【請求項１】
導電性材料からなる本体部と、
前記本体部の長さ方向の一端側に設けられ相手端子と接続可能な端子接続部と、
前記本体部の長さ方向の他端側に設けられ基板の孔部に挿入されて前記基板に接続可能な基板接続部と、
前記本体部の幅方向の一側に設けられ前記基板接続部が前記孔部に挿入される前の状態で隣り合う前記本体部を連結し前記基板接続部が前記孔部に挿入された状態で前記孔部の縁部と当接し前記基板接続部の前記孔部に対する挿入位置を規制する挿入規制部と、
を有することを特徴とする基板用接続端子。
【請求項２】
請求項１記載の基板用接続端子であって、
前記本体部の幅方向の他側には、前記基板接続部が前記孔部に挿入される前の状態で隣り合う前記本体部を連結する補助連結部が設けられ、
前記補助連結部は、前記本体部の長さ方向に対する位置が前記挿入規制部と異なって配置されていることを特徴とする基板用接続端子。
【発明の詳細な説明】
【技術分野】
【０００１】
本発明は、基板用接続端子に関する。詳細には、基板の孔部に挿入される基板接続部を有する基板用接続端子に関する。
【背景技術】
【０００２】
従来、基板用接続端子としては、導電性材料からなる本体部と、本体部の長さ方向の一端側に設けられ相手端子と接続可能な端子接続部と、本体部の長さ方向の他端側に設けられ基板の孔部に挿入されて基板に接続可能な基板接続部とを備えたものが知られている（例えば、特許文献１参照）。
【０００３】
この基板用接続端子では、基板接続部が基板の孔部に挿入される前の状態で、本体部の幅方向両側にそれぞれ設けられた連結部を介して隣り合う本体部が連結されており、複数の基板用接続端子が連結された連鎖体となっている。
【０００４】
このような連鎖体は、基板用接続端子を基板に配置する前の状態で、連結部が切り離されてそれぞれ独立した基板用接続端子となり、それぞれの基板接続部が基板の孔部に挿入され半田付けなどを介して基板用接続端子が基板に電気的に接続される。
【０００５】
一方、他の基板用接続端子としては、本体部の基板接続部側に、基板としてのアライメントプレートの孔部の縁部に当接して基板接続部の孔部に対する挿入位置を規制するストッパを設けたものが知られている（例えば、特許文献２参照）。
【０００６】
この基板用接続端子では、アライメントプレートの孔部の縁部にストッパを当接して基板接続部の孔部に対する挿入位置を規制することにより、孔部からの基板接続部の出代寸法を精度よく管理することができる。
【先行技術文献】
【特許文献】
【０００７】
【特許文献１】特開２０１６−５１６６７号公報
【特許文献２】特開２０１３−８９３８６号公報
【発明の概要】
【発明が解決しようとする課題】
【０００８】
ところで、上記特許文献２のような基板用接続端子では、基板接続部の孔部に対する挿入位置を規制するために、本体部に対してストッパを設けなければならず、部品点数が増加していた。
【０００９】
一方、上記特許文献１のような基板用接続端子では、隣り合う本体部を連結して連鎖体を構成するための連結部が、基板接続部が基板の孔部に挿入されるときには切り離された状態となっている。
【００１０】
このため、上記特許文献１のような基板用接続端子において、切り離された連結部を、上記特許文献２のようなストッパとして機能させることで、部品点数を削減して、基板接続部の孔部に対する挿入位置を規制することが考えられる。
【００１１】
ここで、基板には、基板接続部が挿入される孔部が、複数設けられており、この複数の孔部には複数の基板用接続端子の基板接続部がそれぞれ挿入され、隣り合う基板接続部は絶縁性を保持するために離間して配置されている。
【００１２】
このため、切り離された連結部をストッパとして機能させる場合には、隣り合う本体部に設けられた連結部を、絶縁可能な距離を保持するように配置しなければならない。
【００１３】
しかしながら、上記特許文献１のような連結部は、本体部の幅方向両側に設けられているので、隣り合う基板接続部間のピッチが狭くなった場合、互いの切り離された連結部が干渉する恐れがある。
【００１４】
加えて、隣り合う切り離された連結部の干渉を防止するために、連結部の切断量を多くするなどして対応することが考えられるが、本体部の幅方向両側に位置するどちらの連結部に対しても、基板接続部の孔部に対する挿入位置を十分に規制できる連結部の当接面積を残すなどの配慮が必要であり、連結部の調整が難しくなってしまう。
【００１５】
そこで、この発明は、部品点数を増大することなく、基板接続部の孔部に対する挿入位置を容易に規制することができる基板用接続端子の提供を目的としている。
【課題を解決するための手段】
【００１６】
請求項１記載の発明は、導電性材料からなる本体部と、前記本体部の長さ方向の一端側に設けられ相手端子と接続可能な端子接続部と、前記本体部の長さ方向の他端側に設けられ基板の孔部に挿入されて前記基板に接続可能な基板接続部と、前記本体部の幅方向の一側に設けられ前記基板接続部が前記孔部に挿入される前の状態で隣り合う前記本体部を連結し前記基板接続部が前記孔部に挿入された状態で前記孔部の縁部と当接し前記基板接続部の前記孔部に対する挿入位置を規制する挿入規制部とを有することを特徴とする基板用接続端子である。
【００１７】
この基板用接続端子では、基板接続部が孔部に挿入される前の状態で隣り合う本体部を連結し基板接続部が孔部に挿入された状態で孔部の縁部と当接し基板接続部の孔部に対する挿入位置を規制する挿入規制部が、本体部の幅方向の一側に設けられている。
【００１８】
このため、本体部の幅方向一側のみに位置する挿入規制部の切断量を調整するだけでよく、容易に挿入規制部によって基板接続部の孔部に対する挿入位置を規制することができる。
【００１９】
加えて、挿入規制部は、基板接続部が孔部に挿入される前の状態で隣り合う本体部を連結するので、基板接続部の孔部に対する挿入位置を規制する規制部と、隣り合う本体部を連結する連結部とを別々に設ける必要がなく、部品点数が増大することがない。
【００２０】
従って、このような基板用接続端子では、部品点数を増大することなく、基板接続部の孔部に対する挿入位置を容易に規制することができる。
【００２１】
請求項２記載の発明は、請求項１記載の基板用接続端子であって、前記本体部の幅方向の他側には、前記基板接続部が前記孔部に挿入される前の状態で隣り合う前記本体部を連結する補助連結部が設けられ、前記補助連結部は、前記本体部の長さ方向に対する位置が前記挿入規制部と異なって配置されていることを特徴とする。
【００２２】
この基板用接続端子では、本体部の幅方向の他側に、基板接続部が孔部に挿入される前の状態で隣り合う本体部を連結する補助連結部が設けられているので、複数の基板用接続端子が連結された状態を安定して保持することができる。
【００２３】
また、補助連結部は、本体部の長さ方向に対する位置が挿入規制部と異なって配置されているので、複数の基板用接続端子が基板に配置された状態で、隣り合う挿入規制部と補助連結部とが干渉することがなく、絶縁性を保持することができる。
【発明の効果】
【００２４】
本発明によれば、部品点数を増大することなく、基板接続部の孔部に対する挿入位置を容易に規制することができる基板用接続端子を提供することができるという効果を奏する。
【図面の簡単な説明】
【００２５】
【図１】本発明の実施の形態に係る基板用接続端子の正面図である。
【図２】本発明の実施の形態に係る基板用接続端子の展開図である。
【図３】本発明の実施の形態に係る基板用接続端子の要部拡大図である。
【図４】比較例としての基板用接続端子の要部拡大図である。
【発明を実施するための形態】
【００２６】
図１〜図４を用いて本発明の実施の形態に係る基板用接続端子について説明する。
【００２７】
本実施の形態に係る基板用接続端子１は、導電性材料からなる本体部３と、本体部３の長さ方向の一端側に設けられ相手端子と接続可能な端子接続部５と、本体部３の長さ方向の他端側に設けられ基板７の孔部９に挿入されて基板７に接続可能な基板接続部１１とを備えている。
【００２８】
そして、本体部３の幅方向の一側には、基板接続部１１が孔部９に挿入される前の状態で隣り合う本体部３，３を連結し基板接続部１１が孔部９に挿入された状態で孔部９の縁部と当接し基板接続部１１の孔部９に対する挿入位置を規制する挿入規制部１３が設けられている。
【００２９】
また、本体部３の幅方向の他側には、基板接続部１１が孔部９に挿入される前の状態で隣り合う本体部３，３を連結する補助連結部１５が設けられている。
【００３０】
そして、補助連結部１５は、本体部３の長さ方向に対する位置が挿入規制部１３と異なって配置されている。
【００３１】
ここで、基板用接続端子１は、電子部品（不図示）などが表面に実装された回路基板である基板７の表面に配置されるハウジング１７に収容される。
【００３２】
このハウジング１７は、相手端子（不図示）を収容する相手ハウジング（不図示）と嵌合可能となっており、ハウジング１７と相手ハウジングとが嵌合することにより、相手端子と基板用接続端子１とが電気的に接続される。
【００３３】
このようなハウジング１７に収容される基板用接続端子１は、ハウジング１７に収容された状態で、ハウジング１７が固定部（不図示）を介して基板７上に固定されることにより、基板７に電気的に接続される。
【００３４】
以下、図１〜図４を用いて本発明の実施の形態に係る基板用接続端子の詳細について説明する。
【００３５】
図１〜図３に示すように、基板用接続端子１は、導電性材料からなる１枚の板材にプレス加工や折り曲げ加工などを施すことにより、本体部３と、端子接続部５と、基板接続部１１と、端子保持部１９とを備えている。
【００３６】
本体部３は、棒状に形成され、屈曲部２１でＬ字状に屈曲される。
【００３７】
端子接続部５は、本体部３の一端側にタブ状に形成され、ハウジング１７の内部に収容される。
【００３８】
この端子接続部５は、ハウジング１７が相手ハウジングと嵌合することにより、雌型の相手端子の接続部（不図示）に挿入され、基板用接続端子１と相手端子とが電気的に接続される。
【００３９】
基板接続部１１は、本体部３の他端側に設けられ、ハウジング１７の外部に露出し、本体部３の屈曲部２１が屈曲されることにより、基板７側に向けて延出される。
【００４０】
この基板接続部１１は、ハウジング１７に基板用接続端子１が組付けられた状態で、ハウジング１７を基板７上に配置することにより、基板７の回路を構成する導体部（不図示）に設けられた孔部９に挿入され、基板７に塗られた半田ペーストを加熱する半田付けによって基板用接続端子１と基板７とが電気的に接続される。
【００４１】
端子保持部１９は、本体部３の端子接続部５と基板接続部１１との間で本体部３の幅方向両側にそれぞれ２箇所（計４箇所）突設された突部となっている。
【００４２】
この端子保持部１９は、ハウジング１７の壁部に設けられた孔部に対して圧入され、ハウジング１７に対して基板用接続端子１を固定する。
【００４３】
このような基板用接続端子１は、ハウジング１７に組付けられる前の状態で、隣り合う基板用接続端子１，１が挿入規制部１３と補助連結部１５とを介して連結され、複数の基板用接続端子１が一体に連結されている。
【００４４】
詳細には、複数の基板用接続端子１は、導電性材料からなる１枚の板材に対してプレス加工を施すことにより、一対の連結部２３，２３と、中間保護部２５と、挿入規制部１３と、補助連結部１５とを介して一体に連結された状態となる。
【００４５】
一対の連結部２３，２３は、基板接続部１１側と端子保持部１９側とに配置され、それぞれ複数の基板用接続端子１に跨るように連続する一部材で形成されている。
【００４６】
この一対の連結部２３，２３のうち基板接続部１１側に配置される連結部２３には、複数の基板用接続端子１を搬送するときや一対の連結部２３，２３と中間保護部２５と挿入規制部１３と補助連結部１５とを切断するときの基準となるパイロット孔２７が複数設けられている。
【００４７】
このような一対の連結部２３，２３は、基板用接続端子１をハウジング１７に組付ける前に、複数の基板用接続端子１を独立させるために、基板接続部１１側の連結部２３が全体的に切断される。
【００４８】
一方、端子保持部１９側の連結部２３は、本体部３の幅方向両側から所定の長さを有するように一部を残して中間保護部２５から切断される。
【００４９】
このように切り残された連結部２３は、ハウジング１７の壁部の孔部に基板用接続端子１の端子保持部１９を圧入するときに、ハウジング１７の壁部に当接し、基板用接続端子１のハウジング１７に対する配置位置を規制する。
【００５０】
中間保護部２５は、一対の連結部２３，２３に跨るように、基板用接続端子１の本体部３の長さ方向と平行に一対の連結部２３，２３と一体に形成され、複数の基板用接続端子１の間に複数配置されている。
【００５１】
この中間保護部２５は、基板用接続端子１の周囲を保護し、基板用接続端子１と周辺部材との干渉を防止したり、端子接続部５や基板接続部１１などの加工時の全体的な剛性を保持する。
【００５２】
このような中間保護部２５は、基板用接続端子１をハウジング１７に組付ける前に、複数の基板用接続端子１を独立させるために、一対の連結部２３，２３と共に全体的に切断される。
【００５３】
挿入規制部１３は、基板用接続端子１の本体部３の幅方向の一側から中間保護部２５に向けて連続する一部材で延設されて中間保護部２５と一体に形成され、中間保護部２５を介して隣り合う基板用接続端子１，１を一体に連結する。
【００５４】
この挿入規制部１３は、基板用接続端子１をハウジング１７に組付ける前に、複数の基板用接続端子１を独立させるために、本体部３から所定の長さを有するように一部を残して中間保護部２５から切断される。
【００５５】
補助連結部１５は、基板用接続端子１の本体部３の幅方向の他側から中間保護部２５に向けて連続する一部材で延設されて中間保護部２５と一体に形成され、中間保護部２５を介して隣り合う基板用接続端子１，１を一体に連結する。
【００５６】
この補助連結部１５は、本体部３の長さ方向に対する位置が挿入規制部１３の本体部３の長さ方向に対する位置と異なって配置されている。
【００５７】
このような補助連結部１５は、基板用接続端子１をハウジング１７に組付ける前に、複数の基板用接続端子１を独立させるために、本体部３から所定の長さを有するように一部を残して中間保護部２５から切断される。
【００５８】
ここで、従来の複数の基板用接続端子１が一体に連結された状態では、挿入規制部１３と補助連結部１５との本体部３の長さ方向に対する位置が同一位置となるように配置されていた。
【００５９】
このため、図４に示すように、比較例としての従来の複数の基板用接続端子１ａにおいては、基板接続部１１の基板７の孔部９に対する挿入規制を別部材を用いずに行うと、切り離された挿入規制部１３ａと補助連結部１５ａとを基板７の孔部９の縁部に当接させることになる。
【００６０】
しかしながら、図４のような状態において、隣り合う基板接続部１１，１１間のピッチＡを狭くしようとすると、隣り合う挿入規制部１３ａと補助連結部１５ａとが干渉してしまい、挿入規制部１３ａと補助連結部１５ａとの間の絶縁距離Ｌを十分に保持することができない。
【００６１】
このため、隣り合う基板接続部１１，１１間のピッチＡが狭くなる場合には、絶縁距離Ｌを保持しつつ、基板７の孔部９の縁部との当接面積を保持するために、挿入規制部１３ａと補助連結部１５ａとの切断長さを調整しなければならず、生産性が低下していた。
【００６２】
そこで、挿入規制部１３は、本体部３の幅方向の一側に設けられ、補助連結部１５は、本体部３の幅方向の他側に設けられ、挿入規制部１３と補助連結部１５とは、本体部３の長さ方向に対する位置が異なって配置されている。
【００６３】
このように挿入規制部１３と補助連結部１５とを設けることにより、複数の基板用接続端子１をそれぞれ独立させ、それぞれの基板用接続端子１の基板接続部１１を基板７の複数の孔部９のそれぞれに挿入したときに、挿入規制部１３のみが孔部９の縁部に当接し、基板接続部１１の孔部９に対する挿入位置を規制する。
【００６４】
このような独立した基板用接続端子１を基板７の複数の孔部９に配置させた場合には、図１，図３に示すように、隣り合う基板用接続端子１，１において、挿入規制部１３の上に隣り合う補助連結部１５が配置されることになる。
【００６５】
このため、図３に示すように、隣り合う基板接続部１１，１１間のピッチＢをピッチＡ（図４参照）より狭くしたとしても、挿入規制部１３と孔部９の縁部との当接面積を保持しつつ、隣り合う挿入規制部１３と本体部３との絶縁距離Ｌを十分に保持することができる。
【００６６】
加えて、挿入規制部１３は、本体部３の幅方向の一側のみに設けられているので、複数の基板用接続端子１からそれぞれ独立させるときに、絶縁距離Ｌを保持しつつ、基板７の孔部９の縁部との当接面積を保持するために、挿入規制部１３の切断長さのみを調整すればよく、生産性を向上することができる。
【００６７】
なお、補助連結部１５は、複数の基板用接続端子１からそれぞれ独立した状態では、基板接続部１１の孔部９に対する挿入位置を規制する部分ではないので、複数の基板用接続端子１からそれぞれ独立させるときに、全体的に切断してもよい。
【００６８】
このように補助連結部１５を全体的に切断することにより、隣り合う本体部３との絶縁距離を配慮する必要がなく、さらに生産性を向上することができる。
【００６９】
このような基板用接続端子１では、基板接続部１１が孔部９に挿入される前の状態で隣り合う本体部３，３を連結し基板接続部１１が孔部９に挿入された状態で孔部９の縁部と当接し基板接続部１１の孔部９に対する挿入位置を規制する挿入規制部１３が、本体部３の幅方向の一側に設けられている。
【００７０】
このため、本体部３の幅方向一側のみに位置する挿入規制部１３の切断量を調整するだけでよく、容易に挿入規制部１３によって基板接続部１１の孔部９に対する挿入位置を規制することができる。
【００７１】
加えて、挿入規制部１３は、基板接続部１１が孔部９に挿入される前の状態で隣り合う本体部３，３を連結するので、基板接続部１１の孔部９に対する挿入位置を規制する規制部と、隣り合う本体部３，３を連結する連結部とを別々に設ける必要がなく、部品点数が増大することがない。
【００７２】
従って、このような基板用接続端子１では、部品点数を増大することなく、基板接続部１１の孔部９に対する挿入位置を容易に規制することができる。
【００７３】
また、本体部３の幅方向の他側には、基板接続部１１が孔部９に挿入される前の状態で隣り合う本体部３，３を連結する補助連結部１５が設けられているので、複数の基板用接続端子１が連結された状態を安定して保持することができる。
【００７４】
また、補助連結部１５は、本体部３の長さ方向に対する位置が挿入規制部１３と異なって配置されているので、複数の基板用接続端子１が基板７に配置された状態で、隣り合う挿入規制部１３と補助連結部１５とが干渉することがなく、絶縁性を保持することができる。
【００７５】
なお、本発明の実施の形態に係る基板用接続端子では、中間保護部を介して隣り合う基板用接続端子が一体に連結されているが、これに限らず、中間保護部を介さずに挿入規制部や補助連結部によって隣り合う基板用接続端子を一体に連結してもよい。
【００７６】
また、本体部の幅方向の他側には、補助連結部が設けられているが、これに限らず、複数の基板用接続端子が一体に連結された状態で、予め補助連結部を設けずに、挿入規制部のみで複数の基板用接続端子を一体に連結させてもよい。
【符号の説明】
【００７７】
１…基板用接続端子
３…本体部
５…端子接続部
７…基板
９…孔部
１１…基板接続部
１３…挿入規制部
１５…補助連結部
【図１】
2019096454.tif 000003
【図２】
2019096454.tif 000004
【図３】
2019096454.tif 000005
【図４】
2019096454.tif 000006